(57)【要約】【課題】カーテンの構造が簡単で、組立てと分解が便利であり、製造コストを大幅に削減することが可能な軽量横型カーテンブラインドを提供する。【解決手段】上枠１１、下枠１２、スラット１３およびコード部材１４で構成されたブラインド構造１０と、適切な面積を有する布材からなり、カバー面２１１と少なくとも１つのカバー面２１１に連結している垂下遮光面２１２とを定めた複数のカーテン２０とで構成される。コード部材１４は、上枠１１と下枠１２および各スラット１３を連結してスラット１３を上枠１１と下枠１２の間に配置させ、カバー面２１１はコード部材１４に対応して位置し、コード部材１４を挿置する穿孔ユニット２２を形成し、カバー面２１１を対応するスラット１３に連結し、穿孔ユニット２２を通してコード部材１４の間に位置限定作用を及ぼし、垂下遮光面２１２がカバー面２１１に連結されるスラット１３から外側に垂下する。【選択図】　　図２
2004027486.tif 000002
【特許請求の範囲】
【請求項１】
主として上枠、下枠、複数のスラット、上枠と下枠および各スラットを連結して各スラットを上枠と下枠の間に配置するコード部材からなるブラインド構造と、
適切な面積の布材からなり、カバー面と少なくとも１つの該カバー面に連結している垂下遮光面を分ける複数のカーテンとを備え、
該カバー面は、該コード部材に対応する位置にあり、該コード部材を挿置する穿孔ユニットを形成し、各カバー面をそれぞれ相応のスラットに連結し、該穿孔ユニットによって、該コード部材との間に位置を限定する作用を奏し、該垂下遮光面が該カバー面に連結されるスラットから外側に垂下することにより、遮光効果を得ることが可能であることを特徴とする軽量横型カーテンブラインド。
【請求項２】
該カバー面に、該スラットの両端をそれぞれ挿置するための２つの収容スペースを形成し、そのスペース内で該カーテンと該スラットとの連結が更に安定されることを特徴とする請求項１記載の軽量横型カーテンブラインド。
【請求項３】
該カーテンが第１側縁と第２側縁を分け備え、該第１側縁と該第２側縁はカバー面と垂下遮光面が併接してなる２つの対面する末端縁上に位置し、該第１側縁と該第２側縁をそれぞれ内側に折り曲げてから、垂下遮光面の辺の側縁を縫い合わせ、縫合されていないカバー面の側縁が該収容スペースを自然に形成することを特徴とする請求項２記載の軽量横型カーテンブラインド。
【請求項４】
該カーテンが２つの垂下遮光面を備え、該２つの垂下遮光面がそれぞれ該カバー面の両側から一体的に延伸しており、それぞれ該カバー面に設置されているスラットの外両側から垂下していることを特徴とする請求項１記載の軽量横型カーテンブラインド。
【請求項５】
該カーテンが更にそれぞれ該２つの垂下遮光面の側辺末端縁に位置する第３側縁と第４側縁を備え、第３側縁と第４側縁を内側に折り曲げてから縫い合わせて、縫合した部分にそれぞれ一定重量の重り部材を挿入できる挿入スペースを形成することを特徴とする請求項４記載の軽量横型カーテンブラインド。
【請求項６】
該垂下遮光面上に少なくとも１つの一定重量を有する重り部材を設置することを特徴とする請求項１記載の軽量横型カーテンブラインド。
【請求項７】
該垂下遮光面上に少なくとも１つの重り部材を挿入できる挿入スペースを形成することを特徴とする請求項６記載の軽量横型カーテンブラインド。
【請求項８】
該挿入スペースの深度は垂下遮光面の垂下側辺の長さに等しく、該重り部材は長さが該挿入スペースの長さに等しいバーであることを特徴とする請求項６記載の軽量横型カーテンブラインド。
【請求項９】
該挿入スペースが、重り部材を穿入するための外部と連通する通口を備えていることを特徴とする請求項６記載の軽量横型カーテンブラインド。
【請求項１０】
該各カーテンの側辺における垂下した長さが、少なくとも垂下し始めた地点から次のカーテンに設けたスラットまでの距離より大きいことを特徴とする請求項１記載の軽量横型カーテンブラインド。
【請求項１１】
該コード部材は昇降コードとラダーコードを備え、該穿孔ユニットは細長い穿孔であり、該昇降コードと該ラダーコードを同時にその中に挿置することを特徴とする請求項１記載の軽量横型カーテンブラインド。
【請求項１２】
該コード部材は昇降コードとラダーコードを備え、該穿孔ユニットは複数の穿孔であり、それぞれ該昇降コードと該ラダーコードをその中に挿置することを特徴とする請求項１記載の軽量横型カーテンブラインド。
【発明の詳細な説明】
【０００１】
【発明の属する技術分野】
本発明はブラインドに係るものであり、詳しくは軽量横型カーテンブラインドに関する。
【０００２】
【従来の技術】
一般的な横型ブラインドの遮光効果を更に優れたものとし、全体的な美観をより向上させるため、ブラインドを下ろしたときとほぼ同じ面積になるカーテンを横型ブラインドのスラット上に嵌め込む形で取り付け、カーテンとブラインドスラットの組合せによって遮光効果を向上させるとともに、カーテンの柔和な質感により全体的な美観を向上させることができる。
【０００３】
【発明が解決しようとする課題】
しかし前述の発明には依然として設計上の欠点があり、製品の特性を完全に生かすことができなかった。すなわち、カーテンの構造が過度に複雑なため、製造と販売のコストが高く、消費者から受け入れられなかったり、またはカーテンとスラットの組立て方法が非常に面倒であるため、消費者が自ら組立て或いは分解するときに不便であった。また、横型ブラインドとカーテンを組み合わせると全体のバランス性が損なわれたり、スラットを上げ下げする際にカーテンとの間で干渉し合って、元来カーテンを使用することでブラインドの遮光効果を向上させるはずが、逆に消費者に不便をもたらす結果となっていた。
【０００４】
上記の欠点に鑑み、本発明人は詳細な検討を行い、長年にわたるブラインドの製造と研究開発における経験を通して、最終的に本発明を誕生させた。
本発明の主たる目的は、カーテンの構造が簡単で、組立てと分解が便利であり、製造コストを大幅に削減することができる軽量横型カーテンブラインドを提供することである。
【０００５】
本発明の次なる目的は、カーテンとスラットの組立て方法が簡単で、且つ位置限定作用の優れた軽量横型カーテンブラインドを提供することである。
本発明のさらなる目的は、カーテンの安定性とバランス性が優れた軽量横型カーテンブラインドを提供することである。
【０００６】
【課題を解決するための手段】
本発明の請求項記載の軽量横型カーテンブラインドは、主として上枠、下枠、複数のスラット、コード部材で構成されたブラインド構造と、適切な面積を有する布材からなり、カバー面と少なくとも１つの該カバー面に連結している垂下遮光面とを定めた複数のカーテンとで構成されており、該コード部材は、上枠と下枠および各スラットを連結して各スラットを上枠と下枠の間に配置させ、該カバー面は該コード部材に対応して位置し、該コード部材を挿置する穿孔ユニットを形成し、各カバー面を対応するスラットに連結し、該穿孔ユニットを通して該コード部材の間に位置限定作用を及ぼし、垂下遮光面が該カバー面に連結されるスラットから外側に垂下することにより、遮光効果を得ることができる。
【０００７】
【発明の実施の形態】
以下、本発明の比較的優れた実施例を列挙し、詳細に説明する。
図１および図２は、本発明の第１実施例が提供する軽量横型カーテンブラインド１００であって、主としてブラインド構造１０と若干数のカーテン２０を備えている。
【０００８】
該ブラインド構造１０は、上枠１１、下枠１２、複数のスラット１３、コード部材１４を備えている。
該上枠１１は窓の上部に固定され、該下枠１２は上枠１１の下部に設置され、該各スラット１３は上枠１１と下枠１２の間に設置され、該コード部材１４は昇降コード１４１と２つのラダーコード１４２を備え、該各ラダーコード１４２はそれぞれスラット１３と下枠１２の適切な位置に連結されるとともに、上枠１１の中に固定されて、上枠１１中のラダーコード１４２を引くことにより、スラット１３が連動して傾斜角度を調節することができ、昇降コード１４１は各スラット１３に通され、上枠１１と下枠１２に連結し、上枠１１中の昇降コード１４１を引くことにより、下枠１２が連動して上または下に移動し、各スラット１３がクローズ（上昇）或いはオープン（下降）に位置し、或いは所定位置に暫定的に固定することができる。
【０００９】
上記の構造は、公知技術であるため、ここでは以上の説明にとどめる。
図１と図２が示す通り、カーテン２０の数量は、ブラインド構造１０のスラット１３の数量に等しく、各カーテン２０には、それぞれ絹、麻、綿、ナイロン等の材料の一により製造された布で構成され、該布の幅は、スラット１３の長辺方向の幅にほぼ等しいかまたは大きく、カバー面２１１と一体的に併接する方法により該カバー面２１１の一側面から延伸した垂下遮光面２１２を定めており、該カバー面２１１は、コード部材１４の位置に対応しているとともに、それぞれ穿孔ユニット２２を備えており、該穿孔ユニット２２は長細いホールであって、コード部材１４の昇降コード１４１とラダーコード１４２を同時にその中に通している。
【００１０】
上述した内容は、本発明の第１実施例における各部材の説明であり、以下、組立て方法と各部材間の位置関係を説明する。
先ず、ブラインド構造１０を組み立てる前に、コード部材１４を各カーテン２０における穿孔ユニット２２に通し、各カーテン２０のカバー面２１１を順次上から下に各スラット１３上に設置した後、ブラインド構造１０を組み立て、各カーテン２０のカバー面２１１は穿孔ユニット２２の周縁を通じてコード部材１４によって限定され、それぞれ各スラット１３上を被覆して連結するため、スラット１３がカバー面２１１に被覆されて美観効果が向上され、垂下遮光面２１２はスラット１３のサポートがないため、自身の重量によりスラット１３の外側に垂下することとなり、スラット１３が水平状態にあるとき、該垂下遮光面２１２の垂下した長さが少なくとも垂下し始めた地点から次のカーテン２０が置かれたスラット１３までの距離より大きく、本実施例の場合、各カーテン２０における垂下遮光面２１２の垂下距離は、それぞれ２つのスラット１３間の距離よりも大きくなる。（第１スラット１３上の垂下遮光面２１２について言えば、垂下した長さは僅かに第２スラット１３の位置を超える）。したがって、カーテン２０のカバー面２１１によって設置されたスラット１３に遮蔽装飾を行い、美観を高めるだけでなく、各カーテン２０の垂下遮光面２１２によって各スラット１３間の隙間を遮断することができるため、光線の進入を防ぐことができる。
【００１１】
このほか、該上枠１１には、装飾カーテン２３を貼ることにより（図３参照）、不自然な感じのする上枠１１と上枠１１から次のスラット１３までの隙間を同時に遮断し、布製の材料を使用することにより、全体的な美観を向上する効果が得られる。
【００１２】
次に、本実施例におけるブラインド構造は、露出型コードのブラインド構造、又は露出しない型のコードのブラインド構造とすることができる。
本実施例のカーテンには単一の布材上に穿孔ユニットを穿設する方法を採用しているため、該穿孔ユニットの周辺を通して、コード部材との間に位置限定効果を形成し、該カーテンをスラット上に被覆させて連結でき、同時に該カーテンを通して、ブラインド全体の美観と遮光効果を向上することができ、そのカーテン構造の簡易化は、製造コストを低下することができるだけではなく、消費者が自ら簡単にカーテンを交換することができる。
【００１３】
図４と図５は、本発明の第２実施例が提供する軽量横型カーテンブラインド２００であって、主な構造において上述の実施例とほぼ同様であり、ブラインド構造３０と若干数のカーテン４０を備えており、上述の実施例との主な相違点は、以下の通りである。
【００１４】
該カーテン４０の数量は、ブラインド構造３０におけるスラット３３の数量の半分であり、各カーテン４０をそれぞれ対応するスラット３３に連結し、各カーテン４０をそれぞれ奇数スラット（第１、第３、第５・・・等）上に組合せており、該カーテン４０が１つのカバー面４１１とカバー面４１１の両側からそれぞれ延伸した２つの垂下遮光面４１２、４１３を備え、該２つの垂下遮光面４１２、４１３は、それぞれカバー面４１１が設置されているスラット３３の２つの長辺側から垂下し、各垂下遮光面４１２、４１３の垂下した長さは次のカーテン４０が設置されているスラットまでの距離よりも僅かに長くなり、スラット３３における２つの長辺側の外にそれぞれ垂下した垂下遮光面４１２、４１３を有することとなり、２重の遮光効果を得ることができる。
【００１５】
図６〜図９は、本発明の第３実施例が提供する軽量横型カーテンブラインド３００であって、主な構造において上述の実施例とほぼ同様であり、ブラインド構造５０と若干のカーテン６０を備えており、第２実施例との主な相違点は、以下の通りである。
【００１６】
該各カーテン６０は、１つのカバー面６１１と２つの垂下遮光面６１２、６１３を備えることと、カバー面６１１上に穿孔ユニット６２を設置する以外（図７Ａ参照）、カーテン６０の布材の四方にそれぞれ第１側縁６１４、第１側縁６１４の対面にある第２側縁６１５、第３側縁６１６、第３側縁６１６の対面にある第４側縁６１７を備え、第１側縁６１４と第２側縁６１５はそれぞれカバー面６１１と２つの垂下遮光面６１２、６１３が併接してなる側辺の末端上に位置し、第３側縁６１６と第４側縁６１７はそれぞれ２つの垂下遮光面６１２、６１３の側辺末端上に位置し、第１側縁６１４と第２側縁６１５をそれぞれ内側に所定の距離で折り曲げた後、第１側縁６１４と第２側縁６１５における各垂下遮光面６１２、６１３の折り曲げた部分を縫い合わせ、縫合されない部分（カバー面６１１の外側に位置する部分）がそれぞれ収容スペース６３を自然に形成し（図７Ｂ参照）、該２つの収容スペース６３の間の距離は、スラット５３の長辺の距離にほぼ等しくなり、幅度は各スラット５３の短辺の距離にほぼ等しくなり、カーテン６０を設置するスラット５３の両側をそれぞれカーテン６０の第１側縁６１４と第２側縁６１５が形成する収容スペース６３に挿入し、各カバー面６１１が収容スペース６３を通して相応のスラット５３の両端間に嵌め込まれ、スラット５３上に位置限定されて、カーテン６０のカバー面６１１と挿入スラット５３の間の平面接着性がより優れたものとなる。
【００１７】
このほか、図７Ｃと図８、図９が示す通り、同様にカーテン６０の第３側縁６１６と第４側縁６１７を内側に一定距離で折り曲げた後、すべての部分を縫い合わせ、第３側縁６１６と第４側縁６１７の縫合部分がそれぞれ挿入スペース６４を形成することとなり（図７Ｃ参照）、該挿入スペース６４の深度が垂下遮光面６１２、６１３の長辺と等しくなり、各挿入スペース６４の一端が外部と連通する通口６４１を備え、通口６４１からそれぞれ重り部材６５を挿入することができ（図８参照）、重り部材６５は一定重量を有した長さが挿入スペース６４と等しいバーであり、挿入スペース６４に位置することができ、各垂下遮光面６１２、６１３の中に設置されている重り部材６５の重量によって、各垂下遮光面６１２、６１３が力を受けて安定して垂下することができ、軽微な風力や外力の影響により揺曳し難くなり、重り部材６５の重量が側縁に平均して分配されるため、全体的な安定バランス性が更に優れたものとなり、スラット５３がクローズ状態にある場合、各カーテン６０は自然な積層状態となり、全体的な美観を向上することができる。
【００１８】
図１０と図１１は、本発明の第４実施例が提供する軽量横型カーテンブラインド４００であって、上述の実施例と同様にブラインド構造７０と若干のカーテン８０を開示しており、上述の実施例との主な違いは以下の通りである。
該カーテン８０の穿孔ユニット８２は、それぞれコード部材７４の昇降コード７４１とラダーコード７４２の位置にある穿孔８２１に対応しており、各穿孔８２１の周縁によって、昇降コード７４１とラダーコード７４２の位置を限定させる。
【００１９】
次に、図１２と図１３が示す通り、本発明の実施例におけるカーテン９０のカバー面９１１の両側（第１側縁と第２側縁）にも、それぞれ装飾垂下遮光面９１８、９１９を一体的に延伸させ、組み立て後の全体的な美観効果を更に向上させることができる。
このほか、カーテンの挿入スペースを縫合する前に、先ず重り部材をカーテンの周辺に配置してから縫合すれば、重り部材を同様に該カーテンに配設することができ、通口を設置する必要がない。
【図面の簡単な説明】
【図１】本発明の第１実施例による軽量横型カーテンブラインドを示す分解図である。
【図２】本発明の第１実施例による軽量横型カーテンブラインドを示す組立て図である。
【図３】本発明の第１実施例による軽量横型カーテンブラインドに装飾カーテンを加えた状態を示す組立て図である。
【図４】本発明の第２実施例による軽量横型カーテンブラインドを示す分解図である。
【図５】本発明の第２実施例による軽量横型カーテンブラインドを示す組立て図である。
【図６】本発明の第３実施例による軽量横型カーテンブラインドを示す分解図である。
【図７】本発明の第３実施例におけるカーテンの製作フロー図Ａ、Ｂ、Ｃである。
【図８】本発明の第３実施例のカーテンの一部分を示す拡大分解図である。
【図９】本発明の第３実施例による軽量横型カーテンブラインドのクローズ状態を示す側面図である。
【図１０】本発明の第４実施例のカーテンの一部分を示す拡大分解図である。
【図１１】本発明の第４実施例による軽量横型カーテンブラインドを示す組立て図である。
【図１２】本発明における他の応用実施例のカーテンを示す平面図である。
【図１３】図１２のカーテンが折り曲げられた状態を示す立体図である。
【符号の説明】
１０、３０、５０、７０　　　　　　　　ブラインド構造
１１　　　　　　　　　　　　　　　　　上枠
１２　　　　　　　　　　　　　　　　　下枠
１３、３３、５３　　　　　　　　　　　スラット
１４、７４　　　　　　　　　　　　　　コード部材
２０、４０、６０、８０、９０　　　　　カーテン
２２、６２、８２　　　　　　　　　　　穿孔ユニット
１００、２００、３００、４００　　　　　軽量横型カーテンブラインド
２１１、４１１、６１１、９１１　　　　　カバー面
２１２、４１２、４１３、６１２、６１３　垂下遮光面
【図１】
2004027486.tif 000003
【図２】
2004027486.tif 000004
【図３】
2004027486.tif 000005
【図４】
2004027486.tif 000006
【図５】
2004027486.tif 000007
【図６】
2004027486.tif 000008
【図７】
2004027486.tif 000009
【図８】
2004027486.tif 000010
【図９】
2004027486.tif 000011
【図１０】
2004027486.tif 000012
【図１１】
2004027486.tif 000013
【図１２】
2004027486.tif 000014
【図１３】
2004027486.tif 000015